(57)【要約】【課題】  音声品質の劣化を招くことなく、データ通信を開始することができる中央制御装置を得ることを目的とする。【解決手段】  回線信号合成分離部１４により音声通信が実施されているとき、データ着呼要求を受けると、その音声通信が完了するまで待機してから、その音声用チャネルＶｃｈと同一周波数帯の高速付随制御チャネルＦＡＣＣＨを使用して、データの着呼要求信号を端末無線機３に送信する。これにより、音声品質の劣化を招くことなく、データ通信を開始することができる。【選択図】        図１
2006303904.tif 000002
【特許請求の範囲】
【請求項１】
音声用チャネルを使用して、端末無線機と音声通信を実施する音声通信手段と、上記音声通信手段により音声通信が実施されているとき、データ着呼要求を受けると、その音声通信が完了するまで待機してから、その音声用チャネルを使用して、データの着呼要求信号を上記端末無線機に送信する着呼要求信号送信手段と、上記端末無線機から着呼要求信号に対する応答信号を受信すると、データ通信用チャネルを使用して、上記端末無線機とデータ通信を実施するデータ通信手段とを備えた中央制御装置。
【請求項２】
音声用チャネルを使用して、端末無線機と音声通信を実施する音声通信手段と、上記音声通信手段により音声通信が実施されているとき、データ着呼要求を受けると、制御用チャネルを使用して、データの着呼要求信号を上記端末無線機に送信するとともに、その音声用チャネルの低速付随制御チャネルを使用して、その着呼要求信号の受信を指示する制御信号を上記端末無線機に送信する着呼要求信号送信手段と、上記端末無線機から着呼要求信号に対する応答信号を受信すると、データ通信用チャネルを使用して、上記端末無線機とデータ通信を実施するデータ通信手段とを備えた中央制御装置。
【発明の詳細な説明】
【技術分野】
【０００１】
この発明は、基地局を介して、端末無線機と音声通信及びデータ通信を実施する中央制御装置に関するものである。
【背景技術】
【０００２】
従来の中央制御装置は、音声用チャネルＶｃｈを使用して、端末無線機と音声通信を実施しているとき、データ着呼要求を受けると、一時的に、その音声通信を中断し、その音声用チャネルＶｃｈを使用して、データの着呼要求信号を端末無線機に送信するようにしている。
中央制御装置は、端末無線機から着呼要求信号に対する応答信号を受信すると、データ通信用チャネルＤｃｈにおいて、ポイント−ポイント(ＰＰＰ)接続を実施し、その接続が完了すると、そのデータ通信用チャネルＤｃｈを使用して、端末無線機とデータ通信を開始する。
また、中央制御装置は、音声用チャネルＶｃｈを使用して、端末無線機と音声通信を再開する。
【０００３】
上記の中央制御装置では、音声通信を一時的に中断して、データの着呼要求信号を端末無線機に送信することにより、データ通信の実施を開始できるようにしているが、使用者が任意の時間に通話方法をテレビ電話から音声通話、あるいは、音声通話からテレビ電話に切り替える技術が以下の特許文献１に開示されている。
しかし、かかる技術は、単に通話方法を切り替えるに過ぎず、音声通信を実施しているとき、データ通信を実施できるようにする技術ではない。
【０００４】
【特許文献１】特開２００４−２２１７３８号公報（段落番号［００２５］から［００３９］、図１）
【発明の開示】
【発明が解決しようとする課題】
【０００５】
従来の中央制御装置は以上のように構成されているので、端末無線機と音声通信を実施しているときでも、データ通信を開始することができるが、一時的に音声通信を中断し、その音声用チャネルＶｃｈを使用して、データの着呼要求信号を端末無線機に送信するため、音声に異音が混入して、音声品質が劣化するなどの課題があった。
【０００６】
この発明は上記のような課題を解決するためになされたもので、音声品質の劣化を招くことなく、データ通信を開始することができる中央制御装置を得ることを目的とする。
【課題を解決するための手段】
【０００７】
この発明に係る中央制御装置は、音声通信手段により音声通信が実施されているとき、データ着呼要求を受けると、その音声通信が完了するまで待機してから、その音声用チャネルを使用して、データの着呼要求信号を端末無線機に送信する着呼要求信号送信手段を設け、その端末無線機から着呼要求信号に対する応答信号を受信すると、データ通信用チャネルを使用して、その端末無線機とデータ通信を実施するようにしたものである。
【発明の効果】
【０００８】
この発明によれば、音声通信手段により音声通信が実施されているとき、データ着呼要求を受けると、その音声通信が完了するまで待機してから、その音声用チャネルを使用して、データの着呼要求信号を端末無線機に送信する着呼要求信号送信手段を設け、その端末無線機から着呼要求信号に対する応答信号を受信すると、データ通信用チャネルを使用して、その端末無線機とデータ通信を実施するように構成したので、音声品質の劣化を招くことなく、データ通信を開始することができる効果がある。
【発明を実施するための最良の形態】
【０００９】
実施の形態１．
図１はこの発明の実施の形態１による中央制御装置が適用される通信システムを示す構成図であり、図において、中央制御装置１は基地局２を介して端末無線機３と、音声通信やデータ通信を実施する機能を備えている。
中央制御装置１の音声信号入出力部１１は端末無線機３に送信する音声信号を入力する一方、その端末無線機３から送信された音声信号を出力する処理を実施する。
中央制御装置１の制御信号入出力部１２は端末無線機３に送信する制御信号を入力する一方、その端末無線機３から送信された制御信号を出力する処理を実施する。
中央制御装置１のデータ入出力部１３は端末無線機３に送信するデータを入力する一方、その端末無線機３から送信されたデータを出力する処理を実施する。
【００１０】
中央制御装置１の回線信号合成分離部１４は制御部１５の指示の下、音声用チャネルＶｃｈを使用して端末無線機３と音声信号を送受信する通信処理や、音声用チャネルＶｃｈを使用してデータの着呼要求信号を端末無線機３に送信する通信処理や、データ通信用チャネルＤｃｈを使用して端末無線機３とデータ通信を実施する通信処理などを行う。
中央制御装置１の制御部１５は回線信号合成分離部１４が音声用チャネルＶｃｈを使用して、端末無線機３と音声通信を実施しているとき、データ着呼要求を受けると、その音声通信が完了するまで待機してから、端末無線機３に対する着呼要求信号の送信指令を回線信号合成分離部１４に出力する一方、回線信号合成分離部１４が端末無線機３から着呼要求信号に対する応答信号を受信すると、データ通信用チャネルＤｃｈにおけるポイント−ポイント(ＰＰＰ)接続の接続処理を実施する。
中央制御装置１の回線Ｉ／Ｆ部１６は基地局２と接続されている有線回線に対するインタフェース処理を実施する。
なお、回線信号合成分離部１４、制御部１５及び回線Ｉ／Ｆ部１６から音声通信手段、着呼要求信号送信手段及びデータ通信手段が構成されている。
【００１１】
基地局２の回線Ｉ／Ｆ部２１は中央制御装置１と接続されている有線回線に対するインタフェース処理を実施する。
基地局２の無線Ｉ／Ｆ部２２は端末無線機３と接続されている無線回線に対するインタフェース処理を実施する。
【００１２】
端末無線機３の無線Ｉ／Ｆ部３１は基地局２と接続されている無線回線に対するインタフェース処理を実施する。
端末無線機３の回線信号合成分離部３２は制御部３３の指示の下、音声用チャネルＶｃｈを使用して中央制御装置１と音声信号を送受信する通信処理や、制御用チャネルＣｃｈを使用して着呼要求信号に対する応答信号を中央制御装置１に送信する通信処理や、データ通信用チャネルＤｃｈを使用して中央制御装置１とデータ通信を実施する通信処理などを行う。
端末無線機３の制御部３３は着呼要求信号に対する応答信号の送信指令を回線信号合成分離部３２に出力する処理や、データ通信用チャネルＤｃｈにおけるポイント−ポイント(ＰＰＰ)接続の接続処理を実施する。
【００１３】
端末無線機３の音声信号入出力部３４は中央制御装置１に送信する音声信号を入力する一方、その中央制御装置１から送信された音声信号を出力する処理を実施する。
端末無線機３の制御信号入出力部３５は中央制御装置１に送信する制御信号を入力する一方、その中央制御装置１から送信された制御信号を出力する処理を実施する。
端末無線機３のデータ入出力部３６は中央制御装置１に送信するデータを入力する一方、その中央制御装置１から送信されたデータを出力する処理を実施する。
【００１４】
次に動作について説明する。
中央制御装置１の回線信号合成分離部１４は、音声信号入出力部１１から音声信号を受けると、制御部１５の指示の下、音声用チャネルＶｃｈを使用して、回線Ｉ／Ｆ部１６を介して、その音声信号を基地局２に送信する。
基地局２の回線Ｉ／Ｆ部２１は、中央制御装置１から送信された音声信号を受信すると、その音声信号を無線Ｉ／Ｆ部２２に出力する。
基地局２の無線Ｉ／Ｆ部２２は、回線Ｉ／Ｆ部２１から音声信号を受けると、その音声信号を端末無線機３に送信する。
端末無線機３の回線信号合成分離部３２は、無線Ｉ／Ｆ部３１が基地局２から送信された音声信号を受信すると、制御部３３の指示の下、その音声信号を音声信号入出力部３４に出力する。
【００１５】
また、端末無線機３の回線信号合成分離部３２は、音声信号入出力部３４から音声信号を受けると、制御部３３の指示の下、音声用チャネルＶｃｈを使用して、無線Ｉ／Ｆ部３１を介して、その音声信号を基地局２に送信する。
基地局２の無線Ｉ／Ｆ部２２は、端末無線機３から送信された音声信号を受信すると、その音声信号を回線Ｉ／Ｆ部２１に出力する。
基地局２の回線Ｉ／Ｆ部２１は、無線Ｉ／Ｆ部２２から音声信号を受けると、その音声信号を中央制御装置１に送信する。
中央制御装置１の回線信号合成分離部１４は、回線Ｉ／Ｆ部１６が基地局２から送信された音声信号を受信すると、制御部１５の指示の下、その音声信号を音声信号入出力部１１に出力する。
【００１６】
上記のようにして、中央制御装置１と端末無線機３が音声信号を送受信しているとき、図２に示すように、中央制御装置１の制御信号入出力部１２がデータ着呼要求（データ通信の開始を希望する要求）を受けると、中央制御装置１の制御部１５が回線信号合成分離部１４における音声通信の実施状況を監視する。
中央制御装置１の制御部１５は、例えば、回線信号合成分離部１４における音声信号の送受信が一定期間以上途切れると、音声通信が完了したものと認定する。
中央制御装置１の制御部１５は、音声通信の完了を認定すると、端末無線機３に対する着呼要求信号の送信指令を回線信号合成分離部１４に出力する。
なお、着呼要求信号の送信は、音声用チャネルＶｃｈの周波数帯域を利用する高速付随制御チャネルＦＡＣＣＨを使用して、送信すべき指示も回線信号合成分離部１４に出力する。
【００１７】
中央制御装置１の回線信号合成分離部１４は、制御部１５の指示の下、図２及び図３に示すように、高速付随制御チャネルＦＡＣＣＨを使用して、データの着呼要求信号を回線Ｉ／Ｆ部１６を介して基地局２に送信する。
基地局２の回線Ｉ／Ｆ部２１は、中央制御装置１から送信されたデータの着呼要求信号を受信すると、その着呼要求信号を無線Ｉ／Ｆ部２２に出力する。
基地局２の無線Ｉ／Ｆ部２２は、回線Ｉ／Ｆ部２１からデータの着呼要求信号を受けると、その着呼要求信号を端末無線機３に送信する。
端末無線機３の回線信号合成分離部３２は、無線Ｉ／Ｆ部３１が基地局２から送信されたデータの着呼要求信号を受信すると、制御部３３の指示の下、制御用チャネルＣｃｈを使用して、その着呼要求信号に対する応答信号を無線Ｉ／Ｆ部３１を介して基地局２に送信する。
【００１８】
基地局２の無線Ｉ／Ｆ部２２は、端末無線機３から送信された応答信号を受信すると、その応答信号を回線Ｉ／Ｆ部２１に出力する。
基地局２の回線Ｉ／Ｆ部２１は、無線Ｉ／Ｆ部２２から応答信号を受けると、その応答信号を中央制御装置１に送信する。
中央制御装置１の回線信号合成分離部１４は、回線Ｉ／Ｆ部１６が基地局２から送信された応答信号を受信すると、その旨を制御部１５に通知する。
【００１９】
中央制御装置１の制御部１５は、回線信号合成分離部１４から応答信号を受信した旨の通知を受けると、回線信号合成分離部１４を制御して、端末無線機３の制御部３３と所定の信号のやり取りを実施することにより、データ通信用チャネルＤｃｈにおけるポイント−ポイント(ＰＰＰ)接続の接続処理を実施する。
中央制御装置１の回線信号合成分離部１４は、ＰＰＰ接続が完了すると、データ通信を開始する。
【００２０】
即ち、中央制御装置１の回線信号合成分離部１４は、データ入出力部１３からデータを受けると、制御部１５の指示の下、データ通信用チャネルＤｃｈを使用して、回線Ｉ／Ｆ部１６を介して、そのデータを基地局２に送信する。
基地局２の回線Ｉ／Ｆ部２１は、中央制御装置１から送信されたデータを受信すると、そのデータを無線Ｉ／Ｆ部２２に出力する。
基地局２の無線Ｉ／Ｆ部２２は、回線Ｉ／Ｆ部２１からデータを受けると、そのデータを端末無線機３に送信する。
端末無線機３の回線信号合成分離部３２は、無線Ｉ／Ｆ部３１が基地局２から送信されたデータを受信すると、制御部３３の指示の下、そのデータをデータ入出力部３６に出力する。
【００２１】
また、端末無線機３の回線信号合成分離部３２は、データ入出力部３６からデータを受けると、制御部３３の指示の下、データ通信用チャネルＤｃｈを使用して、無線Ｉ／Ｆ部３１を介して、そのデータを基地局２に送信する。
基地局２の無線Ｉ／Ｆ部２２は、端末無線機３から送信されたデータを受信すると、そのデータを回線Ｉ／Ｆ部２１に出力する。
基地局２の回線Ｉ／Ｆ部２１は、無線Ｉ／Ｆ部２２からデータを受けると、そのデータを中央制御装置１に送信する。
中央制御装置１の回線信号合成分離部１４は、回線Ｉ／Ｆ部１６が基地局２から送信されたデータを受信すると、制御部１５の指示の下、そのデータをデータ入出力部１３に出力する。
【００２２】
従来の中央処理装置の場合、データ通信を開始する際、図６に示すように、一時的に音声通信を中断し、その音声用チャネルＶｃｈを使用して、データの着呼要求信号を端末無線機３に送信するため、音声に異音が混入する不具合が発生するが（図７を参照）、この実施の形態１では、音声通信が完了してから、データの着呼要求信号を端末無線機３に送信するので、音声に異音が混入して、音声品質が劣化することがない。
【００２３】
以上で明らかなように、この実施の形態１によれば、回線信号合成分離部１４により音声通信が実施されているとき、データ着呼要求を受けると、その音声通信が完了するまで待機してから、その音声用チャネルＶｃｈと同一周波数帯の高速付随制御チャネルＦＡＣＣＨを使用して、データの着呼要求信号を端末無線機３に送信するように構成したので、音声品質の劣化を招くことなく、データ通信を開始することができる効果を奏する。
【００２４】
実施の形態２．
上記実施の形態１では、回線信号合成分離部１４により音声通信が実施されているとき、データ着呼要求を受けると、その音声通信が完了するまで待機してから、その音声用チャネルＶｃｈと同一周波数帯の高速付随制御チャネルＦＡＣＣＨを使用して、データの着呼要求信号を端末無線機３に送信するものについて示したが、図４及び図５に示すように、回線信号合成分離部１４により音声通信が実施されているとき、データ着呼要求を受けると、回線信号合成分離部１４が制御部１５の指示の下、制御用チャネルＣｃｈを使用して、データの着呼要求信号を端末無線機３に送信するとともに、その音声用チャネルＶｃｈの低速付随制御チャネルＳＡＣＣＨを使用して、その着呼要求信号の受信を指示する制御信号を端末無線機３に送信するようにしてもよい。
具体的には下記の通りである。
【００２５】
中央制御装置１と端末無線機３が音声信号を送受信しているとき、図４に示すように、中央制御装置１の制御信号入出力部１２がデータ着呼要求を受けると、中央制御装置１の制御部１５が端末無線機３に対する着呼要求信号の送信指令を回線信号合成分離部１４に出力する。
なお、着呼要求信号の送信は、制御用チャネルＣｃｈを使用して、送信すべき指示も回線信号合成分離部１４に出力する。
ただし、回線信号合成分離部１４が制御用チャネルＣｃｈを使用して、着呼要求信号を端末無線機３に送信するだけでは、端末無線機３が当該着呼要求信号を受信することができないので、制御部１５が着呼要求信号の受信を指示する制御信号の送信指令を回線信号合成分離部１４に出力する。
着呼要求信号の受信を指示する制御信号は、音声用チャネルＶｃｈの低速付随制御チャネルＳＡＣＣＨを使用して、送信すべき指示も回線信号合成分離部１４に出力する。
低速付随制御チャネルＳＡＣＣＨは、音声用チャネルＶｃｈの一部に割り当られている小領域であり、音声信号と一緒に制御信号を送信しても、異音が発生することはない。
【００２６】
中央制御装置１の回線信号合成分離部１４は、制御部１５の指示の下、図４及び図５に示すように、制御用チャネルＣｃｈを使用して、データの着呼要求信号を回線Ｉ／Ｆ部１６を介して基地局２に送信するとともに、音声用チャネルＶｃｈの低速付随制御チャネルＳＡＣＣＨを使用して、着呼要求信号の受信を指示する制御信号を回線Ｉ／Ｆ部１６を介して基地局２に送信する。
基地局２の回線Ｉ／Ｆ部２１は、中央制御装置１から送信されたデータの着呼要求信号や制御信号を受信すると、その着呼要求信号や制御信号を無線Ｉ／Ｆ部２２に出力する。
基地局２の無線Ｉ／Ｆ部２２は、回線Ｉ／Ｆ部２１からデータの着呼要求信号や制御信号を受けると、その着呼要求信号や制御信号を端末無線機３に送信する。
【００２７】
端末無線機３の回線信号合成分離部３２は、無線Ｉ／Ｆ部３１が基地局２から送信された制御信号を受信すると、無線Ｉ／Ｆ部３１により受信されたデータの着呼要求信号を取得して制御部３３に出力する。
端末無線機３の制御部３３は、回線信号合成分離部３２から制御信号を受けると、着呼要求信号に対する応答信号の送信指令を回線信号合成分離部３２に出力する。
端末無線機３の回線信号合成分離部３２は、制御部３３から着呼要求信号に対する応答信号の送信指令を受けると、その応答信号を無線Ｉ／Ｆ部３１を介して基地局２に送信する。
【００２８】
基地局２の無線Ｉ／Ｆ部２２は、端末無線機３から送信された応答信号を受信すると、その応答信号を回線Ｉ／Ｆ部２１に出力する。
基地局２の回線Ｉ／Ｆ部２１は、無線Ｉ／Ｆ部２２から応答信号を受けると、その応答信号を中央制御装置１に送信する。
中央制御装置１の回線信号合成分離部１４は、回線Ｉ／Ｆ部１６が基地局２から送信された応答信号を受信すると、その旨を制御部１５に通知する。
【００２９】
中央制御装置１の制御部１５は、回線信号合成分離部１４から応答信号を受信した旨の通知を受けると、回線信号合成分離部１４を制御して、端末無線機３の制御部３３と所定の信号のやり取りを実施することにより、データ通信用チャネルＤｃｈにおけるポイント−ポイント(ＰＰＰ)接続の接続処理を実施する。
中央制御装置１の回線信号合成分離部１４は、ＰＰＰ接続が完了すると、データ通信を開始する。
以降は、上記実施の形態１と同様であるため説明を省略する。
【００３０】
以上で明らかなように、この実施の形態２によれば、回線信号合成分離部１４により音声通信が実施されているとき、データ着呼要求を受けると、制御用チャネルＣｃｈを使用して、データの着呼要求信号を端末無線機３に送信するとともに、その音声用チャネルＶｃｈの低速付随制御チャネルＳＡＣＣＨを使用して、その着呼要求信号の受信を指示する制御信号を端末無線機３に送信するように構成したので、音声品質の劣化を招くことなく、データ通信を開始することができる効果を奏する。
【図面の簡単な説明】
【００３１】
【図１】この発明の実施の形態１による中央制御装置が適用される通信システムを示す構成図である。
【図２】この発明の実施の形態１による中央制御装置が適用される通信システムの通信シーケンスを示すシーケンス図である。
【図３】データの着呼要求信号の送信処理を示す説明図である。
【図４】この発明の実施の形態２による中央制御装置が適用される通信システムの通信シーケンスを示すシーケンス図である。
【図５】データの着呼要求信号の送信処理を示す説明図である。
【図６】音声通信を一時的に中断して着呼要求信号を送信する場合の通信シーケンスを示すシーケンス図である。
【図７】音声通信を一時的に中断して着呼要求信号を送信する場合の説明図である。
【符号の説明】
【００３２】
１  中央制御装置、２  基地局、３  端末無線機、１１  音声信号入出力部、１２  制御信号入出力部、１３  データ入出力部、１４  回線信号合成分離部（音声通信手段、着呼要求信号送信手段、データ通信手段）、１５  制御部（音声通信手段、着呼要求信号送信手段、データ通信手段）、１６  回線Ｉ／Ｆ部（音声通信手段、着呼要求信号送信手段、データ通信手段）、２１  回線Ｉ／Ｆ部、２２  無線Ｉ／Ｆ部、３１  無線Ｉ／Ｆ部、３２  回線信号合成分離部、３３  制御部、３４  音声信号入出力部、３５  制御信号入出力部、３６  データ入出力部。
【図１】
2006303904.tif 000003
【図２】
2006303904.tif 000004
【図３】
2006303904.tif 000005
【図４】
2006303904.tif 000006
【図５】
2006303904.tif 000007
【図６】
2006303904.tif 000008
【図７】
2006303904.tif 000009